(57)【特許請求の範囲】
【請求項１】
パチンコ球を貯留する皿本体と、該皿本体の前方部分を覆うカバー部材とを備えたパチンコ機の打球供給皿において、
前記皿本体の下面に複数の取着用突起を設け、該取着用突起に球貸出操作部を取り付けると共に、カバー部材に球貸出操作部を露出させる開口部を設けてなることを特徴とするパチンコ機の打球供給皿。
【請求項２】
前記皿本体を合成樹脂のガスインジェクション成形により形成したことを特徴とする請求項１に記載のパチンコ機の打球供給皿。
【請求項３】
前記球貸出操作部は、球貸出操作基板と、球貸出スイッチ釦と、カード返却スイッチ釦と、カード残高表示器によって構成されている請求項１記載のパチンコ機の打球供給皿。
【発明の詳細な説明】
【０００１】
【発明の属する技術分野】
本発明は、パチンコ機の前面に装着される合成樹脂製の打球供給皿に関するものである。
【０００２】
【従来の技術】
従来、パチンコ機の打球供給皿は、賞球払出装置から払い出されるパチンコ球を貯留する皿本体と、該皿本体の前方部分を覆うカバー部材とを備え、皿本体に貯留されたパチンコ球を整流部で一列に整流しながら打球発射位置に１個ずつ供給するように構成されている。
【０００３】
一方、最近では各パチンコ機に対応してカード挿入口及びカードを受け入れて貸球払出信号を発信する機能部を収容した球貸機を設け、カードをカード挿入口に挿入して球貸出操作部を操作することによりパチンコ機の賞球払出装置を作動して貸球を打球供給皿に排出するようにした所謂ＣＲ機と称されるカード対応パチンコ機が開発されている。そして、このカード対応パチンコ機においては遊技客が球貸出し操作を行ない易いように球貸出操作部が打球供給皿に設けられている。また、周知のように打球供給皿には遊技の興趣を高めるべく特別遊技状態（大当り）が発生した場合に効果音を出力するスピーカーも設けられている。
【０００４】
ところで、市場に供給されるパチンコ機としては上述のようなカード対応パチンコ機の他に球貸出操作部を必要としない所謂普通機と称されるパチンコ機も提供されており、このため、カード対応パチンコ機用と普通機用の打球供給皿を別々に用意する必要があって非常に不経済とされていた。そこで、最近ではカード対応パチンコ機と普通機のいずれにも容易に対応できる打球供給皿として例えば特公平７−５５２５９号公報及び特公平５−１５６５９号公報に記載のものが提案されている。
【０００５】
【発明が解決しようとする課題】
しかし、従来の打球供給皿はいずれも球貸出操作部がカバー部材に着脱可能に取り付けれているため、パチンコ機の設置時や使用時にカバー部材が損傷して交換の必要が生じた場合に比較的高価な球貸出操作部やスピーカー等を再使用するべくその都度カバー部材から取り外さなければならず、その作業が面倒で手間が掛かるという問題があった。
【０００６】
また、カバー部材に球貸出操作部やスピーカー等を設けた場合、該カバー部材の外形形状が制約を受けて特定され、例えば凹凸の多い凝ったデザインに成形すると球貸出操作部やスピーカー等の取付部の形成が困難になることなどにより自由なデザインを採用することができないという不都合があった。
【０００７】
本発明は、従来の技術の有するこのような問題点に鑑みてなされたものであり、その目的とするところは、カバー部材が損傷した場合の交換が容易にでき、しかもカバー部材を斬新な外形形状とすることができるような打球供給皿を提供しようとするものである。
【０００８】
【課題を解決するための手段】
上記した目的を達成するため、請求項１記載の発明は、パチンコ球を貯留する皿本体と、該皿本体の前方部分を覆うカバー部材とを備えたパチンコ機の打球供給皿において、前記皿本体の下面に複数の取着用突起を設け、該取着用突起に球貸出操作部を取り付けると共に、カバー部材に球貸出操作部を露出させる開口部を設けてなることを特徴としている。
【０００９】
また、請求項２記載の発明は、パチンコ球を貯留する皿本体と、該皿本体の前方部分を覆うカバー部材とを備えたパチンコ機の打球供給皿において、前記皿本体の下面に複数の取着用突起を設け、該取着用突起にスピーカーを取り付けると共に、カバー部材に透音孔を設けてなることを特徴としている。
【００１０】
さらに、請求項３記載の発明は、前記皿本体を合成樹脂のガスインジェクション成形により形成したことを特徴としている。
【００１１】
また、請求項４記載の発明は、前記皿本体を合成樹脂の発泡成形により形成したことを特徴としている。
【００１２】
さらに、請求項５記載の発明は、前記球貸出操作部が球貸出操作基板と、球貸出スイッチ釦と、カード返却スイッチ釦と、カード残高表示器によって構成されていることを特徴としている。
【００１３】
また、請求項６記載の発明は、前記皿本体の前側面にカバー部材の内側面に当接するリブ壁を設けたことを特徴としている。
【００１４】
そして、請求項１及び請求項２記載の発明は、打球供給皿のカバー部材が損傷した場合に、球貸出操作部やスピーカーを取り外すことなくカバー部材のみを容易に交換することが可能となる。
【００１５】
また、請求項３及び請求項４記載の発明は、皿本体に複数の取着用突起を一体に形成してもひけを発生せず、皿本体に貯留されたパチンコ球の流れを阻害することなく円滑に打球発射位置に供給することが可能となる。
【００１６】
さらに、請求項５記載の発明は、皿本体に球貸出操作部を容易に取り付けることができ、請求項６記載の発明は、皿本体にカバー部材を取り付けた状態のとき、該カバー部材のガタつきを無くすことが可能となる。
【００１７】
【発明の実施の形態】
次に、図面を参照して本発明の実施の形態について説明する。図１は本発明に係る打球供給皿が装着されたカード対応パチンコ機の正面図である。図１において、パチンコ機１は、外枠２と該外枠２の前面に開閉自在に設けられた前面枠３とを有する。前面枠３は中央部に窓孔を有する額縁状に形成されており、該窓孔の後部に遊技盤４が着脱可能に取り付けられている。また、窓孔の一側にはガラス扉枠５と前面板６とが開閉自在に設けられており、その前面板６の前面に本実施の形態に係る打球供給皿７が取り付けられている。また、前面枠３の下部には打球供給皿７の余剰球を貯留する下部貯留皿８と打球発射用の操作ハンドル９が設けられている。
【００１８】
一方、パチンコ機１の側部には球貸機１０が隣接されている。この球貸機１０の前面にはカード挿入口１１が設けられており、内部にはカード挿入口１１に挿入されるカードを受け入れて貸球払出信号を発信する機能部が収容されている。
【００１９】
図２は本実施の形態に係る打球供給皿７の斜視図、図３は皿本体１２からカバー部材１３を取り外した状態の斜視図、図４は図３の分解斜視図である。この打球供給皿７は、パチンコ球を貯留する皿本体１２と、該皿本体１２の前方部分を覆うカバー部材１３とから構成されている。皿本体１２は前記前面板６の前面に対向させる後側壁１４の上端に、上流側で前後幅が大きく下流側に向かって前後幅が次第に小さくなる皿部１５を一体に形成し、該皿部１５の前側壁１６の上端縁に上面壁２２を水平方向に延設している。また、皿部１５の下流側にはパチンコ球が一列に整列される整流部１７が形成されている。
【００２０】
前記カバー部材１３は、皿本体１２を前方と下方から覆うように取り付けられるものであって、図４に示すように該カバー部材１３と皿本体１２との間に空間部が形成され、かつその上端部分が皿本体１２の上面壁２２前端に合致するように膨出湾曲して形成されている。そして、カバー部材１３の前面中央部分には球貸出操作部１８を臨ませるための横長の開口部１９が開設されており、前面の左右両側部には長溝状の透音孔２０が穿設されている。
【００２１】
前記球貸出操作部１８は、図３に示すようにカバー部材１３の開口部１９に合致する形状及び大きさの球貸出操作基板２１と、該球貸出操作基板２１の前側に取り付けられる装飾板２３とからなる。球貸出操作基板２１の表面には７セグメント表示器からなるカード残高表示器２４、球貸出スイッチ釦２５、カード返却スイッチ釦２６が設けられている。前記装飾板２３にはカード残高表示器２４を透視し得るように透明な表示部２７が設けられ、その両側に球貸出スイッチ釦２５及びカード返却スイッチ釦２６を押圧するための透明な薄肉部２８，２８が形成されている。そして、球貸出操作基板２１と装飾板２３とは該装飾板２３の裏側に突設された取着用ボス２９，２９を球貸出操作基板２１の前面に当接させてねじ４１，４１で螺着することにより一体化される。なお、３０はスピーカーである。
【００２２】
しかして、前記皿本体１２の下面に複数の取着用突起３１が合成樹脂により一体成形され、また皿本体１２の前側壁１６の前面にはカバー部材１３の内側面に当接するリブ壁３２，３２がそれぞれ合成樹脂により一体成形されている。そして、前記カバー部材１３、球貸出操作部１８、スピーカー３０が取着用突起３１を介して皿本体１２に取り付けられる。すなわち、球貸出操作部１８は、図４に示すように装飾板２３の下縁から後方へ突出した取付片３３，３３の取付孔３４，３４を取着用突起３１ａ，３１ａに位置合せしてねじ３５，３５で螺着することにより皿本体１２に取り付けられる。また、スピーカー３０は図５に示すように該スピーカー３０の保持枠３６の四隅部に穿設された取付孔３７を４本の取着用突起３１ｂにそれぞれ位置合せしてねじ３８で螺着することにより皿本体１２に取り付けられる。
【００２３】
一方、前記カバー部材１３の底面には複数の取付孔３９が穿設されており、カバー部材１３を皿本体１２の前面に当接させた状態で取付孔３９から皿本体１２の取着用突起３１ｃにねじ４０を螺着することにより皿本体１２に取り付けられる。そして、カバー部材１３を皿本体１２の前面に取り付けた状態において、球貸出操作部１８がカバー部材１３の開口部１９から露出して貸出し操作が可能となる。また、皿本体１２に取り付けられたスピーカー３０から出力される効果音がカバー部材１３の透音孔２０から送り出される。なお、４２，４２はカバー部材１３を皿本体１２に取り付けた状態で球貸出操作部１８を取り外す場合の工具差込孔である。
【００２４】
このように、球貸出操作部１８やスピーカー３０を皿本体１２側に取り付けることにより、例えば、パチンコ機の輸送時、遊技店での設置時さらには遊技客のいたずら等によってカバー部材１３が損傷するようなことがあっても球貸出操作部１８やスピーカー３０を皿本体１２から取り外すことなくカバー部材１３のみを容易に交換することができるようになる。また、カバー部材１３は、球貸出操作部１８を取り付けるためのスペースを設けたりする必要がなくなるため、外形形状に制約を受けることが少なくなり、自由なデザインに形成することができる。さらに、カバー部材１３を皿本体１２に取り付けた状態で皿本体１２のリブ壁３２，３２がカバー部材１３の内側面に当接してカバー部材１３の内側方向への撓みを抑制することになるため、全体構造を頑強にすることができる。
【００２５】
ところで、前記合成樹脂からなる皿本体１２は、通常の射出成形により成形してもよいが、皿本体１２と一体に複数の取着用突起３１やリブ壁３２，３２を成形した場合、通常の射出成形ではどうしてもヒケを生じ易い。そして、皿本体１２の皿部１５にヒケによる凹みが生じると、見栄えが悪いばかりかパチンコ球の流れが阻害されて打球発射位置へのパチンコ球の供給が円滑に行なわれなくなる事態が起こり得る。このため本実施の形態では、前記皿本体１２をガスインジェクション成形により成形したことを特徴としている。すなわち、通常の射出成形において、溶融樹脂とガスを金型内に射出して成形したものである。このように皿本体１２をガスインジェクション成形により形成することにより皿本体１２に複数の取着用突起３１やリブ壁３２，３２を一体成形してもヒケやソリの発生を防止することができる。換言するならば、従来の打球供給皿は、皿本体が通常の射出成形により形成されていて、皿本体の皿部の下面に複数の取着用突起を形成することは製品上無理があったため、球貸出操作部１８をカバー部材１３側に取り付けざるを得なかった。これに対し、本実施の形態では皿本体１２をガスインジェクション成形により形成しているので皿部１５にヒケを発生させることなく複数の取着用突起３１やリブ壁３２，３２が一体成形でき、球貸出操作部１８を皿本体１２側に取り付けることが可能となって、カバー部材１３の交換を容易に行うことができるのである。なお、皿本体１２を合成樹脂の発泡成形により成形してもヒケの発生を防止することができ同様の効果が得られる。
【００２６】
【発明の効果】
以上の説明から明らかなように、本発明に係るパチンコ機の打球供給皿は、パチンコ球を貯留する皿本体に球貸出操作部やスピーカー等を取り付けるようにしたものであるから、皿本体の前方部分を覆うカバー部材が損傷した場合に、球貸出操作部やスピーカーを取り外すことなくカバー部材のみを容易に交換することができる。
【図面の簡単な説明】
【図１】カード対応パチンコ機の正面図である。
【図２】本実施の形態に係る打球供給皿の斜視図である。
【図３】皿本体からカバー部材を取り外した状態の斜視図である。
【図４】図３の分解斜視図である。
【図５】球貸出操作部の取付状態を示す側面断面図である。
【図６】スピーカーの取付状態を示す側面断面図である。
【符号の説明】
１              パチンコ機
７              打球供給皿
１２            皿本体
１３            カバー部材
１８            球貸出操作部
１９            開口部
２０            透音孔
２１            球貸出操作基板
２４            カード残高表示器
２５            球貸出スイッチ釦
２６            カード返却スイッチ釦
３０            スピーカー
３１            取着用突起
３２            リブ壁
【図１】
0004370014.tif 000002
【図２】
0004370014.tif 000003
【図３】
0004370014.tif 000004
【図４】
0004370014.tif 000005
【図５】
0004370014.tif 000006
【図６】
0004370014.tif 000007